(57)【特許請求の範囲】
【請求項１】
電流が流れる等により発熱する発熱部と、前記発熱部の周囲を覆う保護部と、前記保護部の側壁上部に設けられた開口部と、前記発熱部と接続する接続部の近傍に設けられ、前記開口部の下端より内部上方に向かって傾斜する傾斜面と、を備え、前記接続部に接続している電線部は、前記傾斜面の下面に当接することで、内方に傾倒する電装部品。
【請求項２】
前記開口部を、前記発熱部の天面より上方に設けていることを特徴とする請求項１に記載の電装部品。
【請求項３】
前記傾斜面の両端が前記保護部の内面に接続されていることを特徴とする請求項１または２に記載の電装部品。
【発明の詳細な説明】
【技術分野】
【０００１】
本発明は、電装部品の発熱部を保護部に設けられた開口部から外気を取り込むことで冷却する機能を有する電装部品に関するものである。
【背景技術】
【０００２】
電装部品・電化製品の小型化・高機能化に伴い、電流の消費により発熱する発熱部の冷却方法の確立は、部品配置や機器構造を決定する上で重要な要素となっている。一般的な冷却方法として、外気を取り込む開口部を設置し、通気性を高めることにより冷却する方法が挙げられる。しかし、開口部から液体が電装部品の保護部内部に入り込むことにより、感電・火災等の不安全な事象を誘発する可能性がある。そのため、開口部の設置位置や形状、サイズには制約があった。
【０００３】
特許文献１に記載する従来技術では、開口部からの液体の浸入を防ぐために高分子吸収体等からなる液体の通過阻止体を搭載している。これにより、発熱部の通気性を確保しつつ、開口部から浸入した液体が電源回路等に付着すること、およびその付着により感電・火災等の不安全な事象が発生することを防いでいる。しかし、液体の通過阻止体、および、その取り付け加工費等のコストが発生するため、部品を追加することなく通気性を確保し、液体の浸入を防止する保護構造を備えた電装部品が必要とされている。
【先行技術文献】
【特許文献】
【０００４】
【特許文献１】実開平５−７４０８１号公報
【発明の概要】
【発明が解決しようとする課題】
【０００５】
従来技術では、液体の通過阻止体、および、その取り付け加工費等によりコストが発生するという課題があり、部品を追加することなく通気性を確保し、液体の浸入を防止する構造が必要とされている。
【０００６】
本発明は、上記従来の課題を解決するもので、電装部品の保護部上部から液体が滴下された際に、前記の液体の通過阻止体がなくても、電装部品の保護部内部に液体が浸入することを防ぐことができる電装部品を提供することを目的としている。
【課題を解決するための手段】
【０００７】
本発明は上記目的を達成するために、電流が流れる等により発熱する発熱部と、発熱部の周囲を覆う保護部と、保護部内部に外気を取り込む開口部と、開口部下端より内部上方に向かって傾斜する傾斜面によって構成されている電装部品である。
【０００８】
これにより、保護部上部から液体が滴下されても、開口部下部に設置された傾斜面により液体が保護部外郭を流れるため、液体が開口部から保護部内部に浸入することを防ぎ、感電・火災等の不安全な事象が発生することを防ぐことができる。
【発明の効果】
【０００９】
本発明により、保護部上部から液体が滴下された場合であっても、液体の通過阻止体がなくても、傾斜面により電装部品の保護部内部に液体が浸入することを防止し、発熱部と電線部とを接続する接続部に液体が付着すること、および液体の付着により感電・火災等の不安全な事象が発生することを防ぐことができる電装部品を実現することができる。
【図面の簡単な説明】
【００１０】
【図１】本発明の実施の形態１に係る電装部品の側断面図
【図２】本発明の実施の形態２に係る電装部品の正面図
【図３】本発明の実施の形態３に係る電装部品の側断面図
【図４】本発明の実施の形態３に係る電装部品の正面図
【図５】本発明の実施の形態１、２、３に係る電装部品を搭載するドラム式洗濯機の側断面図
【図６】本発明の実施の形態３に係る電装部品の保護部の俯瞰図
【発明を実施するための形態】
【００１１】
第１の発明は、電流が流れる等により発熱する発熱部と、前記発熱部の周囲を覆う保護部と、前記保護部の側壁上部に設けられた開口部と、前記発熱部と接続する接続部の近傍に設けられ、前記開口部の下端より内部上方に向かって傾斜する傾斜面と、を備え、前記接続部に接続している電線部は、前記傾斜面の下面に当接することで、内方に傾倒するように構成したものである。これにより、保護部上部から液体が滴下された場合に、液体の通過阻止体がなくても、傾斜面により電装部品の保護部内部に液体が浸入することを防止するとともに、接続部や電線部に掛かる負荷を回避、もしくは軽減することができる。そのため、感電・火災等の不安全な事象が発生することを防ぐことができる。
【００１２】
第２の発明は、上記第１の発明において、前記開口部を、前記発熱部の天面より上方に設けたことにより、開口部から保護部内部に液体が浸入する可能性をより低減させることができる。
【００１３】
第３の発明は、上記第１または第２の発明において、前記傾斜面の両端が前記保護部の内面に接続されていることにより、保護部上部から滴下された液体を確実に保護部外郭に導き、開口部から保護部内部に液体が浸入する可能性をより低減させることができる。
【００１６】
以下、本発明の実施の形態について、図面を参照しながら説明する。なお、この実施の形態によって本発明が限定されるものではない。
【００１７】
（実施の形態１）
以下、本発明の実施の形態１の電装部品について、洗濯機に搭載するコイルユニットを実施の形態として、図１、および図５を参照しながら説明する。図１は、本発明の実施の形態１に係る洗濯機向けコイルユニット（電装部品）の側断面図であり、図５は、本発明の実施の形態１に係る洗濯機向けコイルユニット（電装部品）を搭載するドラム式洗濯機の側断面図である。
【００１８】
図１において、電装部品であるコイルユニット５２内の巻線等を保護する保護部に該当するコイルボックス２１は、箱状に形成され、側壁上部にコイルボックス２１内部に外気を取り込む開口部１２と、開口部１２下端より内部上方に向かって傾斜する傾斜面１３を有する。コイルユニット５２のコイルボックス２１の内部には、発熱部であるアルミ巻線２４と、電線部である塩化ビニル電線２６とが接続部であるはんだ接続部２５で接続されて、収納されている。はんだ接続部２５は、傾斜面１３の下方近傍に設けてある。
【００１９】
コイルユニット５２は、リアクタと呼ばれているものであり、図５に示したような回転ドラムをインバータ制御するドラム式洗濯機に搭載され、インバータ駆動時の高調波電流の抑制や力率の改善を目的とするものである。なお、コイルユニット５２は、開口部１２がドラム式洗濯機の側面（図５における奥方向）を向くように設置されている。
【００２０】
以上のような構成のコイルユニット５２が、図５に示すように、ドラム式洗濯機内で給水弁５１の下方に配置されている場合、給水弁５１からの漏水により、コイルユニット５２のコイルボックス２１上に液体が滴下される可能性がある。
【００２１】
本実施の形態のコイルユニット５２によれば、コイルボックス２１上部から液体が滴下された場合に、傾斜面１３の作用によって液体がコイルボックス２１外郭を流れることにより、開口部１２からコイルボックス２１内部に液体が浸入することを防止することができる。これにより、コイルボックス２１内部のはんだ接続部２５に液体が付着すること、および液体の付着により感電・火災等の不安全な事象が発生することを防止する効果が得られる。
【００２２】
（実施の形態２）
以下、本発明の実施の形態２の電装部品について、上記実施の形態１と同様に洗濯機に搭載するコイルユニットを実施の形態として、図２および図５を参照しながら説明する。図２は、本発明の実施の形態２に係る電装品である洗濯機向けコイルユニットの正面図であり、図５は本発明の実施の形態２に係る電装部品である洗濯機向けコイルユニットを搭載するドラム式洗濯機の側断面図である。
【００２３】
図２において、電装部品であるコイルユニット５２内の巻線等を保護する保護部に該当するコイルボックス２１は箱状に形成し、上方に隆起させて設けた一側部の上部外側面にコイルボックス２１内部に外気を取り込む開口部１２と、開口部１２下端より内部上方に向かって傾斜する傾斜面１３を有する。コイルボックス２１の開口部１２および傾斜面１３は、発熱部である銅巻線３４およびその上方のコイルボックス２１の天面２１ａより上方に設けてある。
【００２４】
コイルユニット５２のコイルボックス２１の内部には、発熱部である銅巻線３４と、電線部であるシリコンゴム電線３６が接続部であるスポット溶接接続部３５で接続されて、収納されている。スポット溶接接続部３５は、傾斜面１３の下方近傍に設けてある。
【００２５】
以上のような構成のコイルユニット５２が、図５に示すように、ドラム式洗濯機内で給水弁５１の下方に配置されている場合、給水弁５１からの漏水により、コイルユニット５２のコイルボックス２１上に液体が滴下される可能性がある。
【００２６】
本実施の形態のコイルユニット５２によれば、コイルボックス２１上部から液体が滴下された場合に、傾斜面１３の作用によって液体がコイルボックス２１外郭を流れることにより、開口部１２からコイルボックス２１内部に液体が浸入することを防止することができる。
【００２７】
また、開口部１２をより上方に位置させたことにより、開口部１２からコイルボックス２１内部に液体が浸入する可能性をより低減させることができる。
【００２８】
これらにより、コイルボックス２１内部にあるスポット溶接接続部３５に液体が付着すること、およびその付着により感電・火災等の不安全な事象が発生することを防止する効果が得られる。
【００２９】
（実施の形態３）
以下、本発明の実施の形態３の電装部品について、上記実施の形態１、２と同様に洗濯機向けコイルユニットを実施例として、図３、図４、図５、および図６を参照しながら説明する。図３は、本発明の実施の形態３に係る電装部品である洗濯機向けコイルユニットの側断面図、図４は、同コイルユニットの正面図、図５は同コイルユニットを搭載するドラム式洗濯機の側断面図、図６は同コイルユニットの保護部であるコイルボックスの俯瞰図である。
【００３０】
図３および図４において、電装部品であるコイルユニット５２内の巻線等を保護する保護部に該当するコイルボックス２１は箱状に形成し、上方に隆起させて設けた一側部の上部外側面にコイルボックス２１内部に外気を取り込む開口部１２と、開口部１２下端より内部上方に向かって傾斜する傾斜面１３とを有する。開口部１２は、発熱部であるアルミ巻線２４およびその上方のコイルボックス２１の天面２１ａより上方に設けられている。
【００３１】
コイルユニット５２のコイルボックス２１の内部には、発熱部であるアルミ巻線２４と、アルミ巻線２４に接続している接続部であるタブ端子５５と、タブ端子５５と接続するファストン端子４５と、ファストン端子４５に接続している電線部であるシリコンゴム電線３６を有する。接続部であるファストン端子４５およびタブ端子５５はいずれも、傾斜面１３の下方近傍に設けてある。
【００３２】
傾斜面１３は、コイルユニット５２の底面である底板２７に対して、直角に対し内部上方に向かって約３０度の角度で傾倒し、図４に示すように、傾斜面１３の両端はコイルボックス２１の内面に接続されている。シリコンゴム電線３６は屈曲部を有し、これをシリコンゴム電線屈曲部３６ａとする。コイルボックス２１は、不燃化を施したＰＥＴ（ポリエチレンテレフタラート）を使用する。
【００３３】
本実施の形態の電装部品であるコイルユニット５２によれば、コイルボックス２１の取り付け時に、ファストン端子４５、シリコンゴム電線屈曲部３６ａのいずれか、もしくはこれらの両方が傾斜面１３に接触しても、傾斜面１３の内側下面にこれらを当接させることで、ファストン端子４５、およびシリコンゴム電線屈曲部３６ａを内方に傾倒させ、ファストン端子４５、およびシリコンゴム電線屈曲部３６ａが傾斜面１３の内面上を滑り、これらに掛かる負荷を回避、もしくは軽減する効果が得られる。
【００３４】
また、上記のような構成のコイルユニット５２が、図５に示すように、ドラム式洗濯機内で給水弁５１の下方に配置されている場合、給水弁５１からの漏水により、コイルユニット５２のコイルボックス２１上に液体が滴下される可能性がある。
【００３５】
このとき、傾斜面１３の作用によって液体がコイルボックス２１外郭を流れ、開口部１２からコイルボックス２１内部に液体が浸入することを防ぐことができる。
【００３６】
また、開口部１２をより上方に位置させたことにより、開口部１２からコイルボックス２１内部に液体が浸入する可能性をより低減させることができる。
【００３７】
これらにより、コイルボックス２１内部にあるファストン端子４５やタブ端子５５に液体が付着すること、およびその付着により感電・火災等の不安全な事象が発生することを防止する効果も合わせて得ることができる。
【００３８】
なお、上記各実施の形態として、洗濯機を取り上げたが、水の飛散や水漏れによる電装部品への水の滴下、高湿度環境下に設置されることにより結露が発生する可能性がある他の機器・他の電装部品に対しても当該保護構造は適用可能である。
【産業上の利用可能性】
【００３９】
本発明により、保護部上部から液体が滴下された際に、傾斜面により保護部内部に液体が浸入することを防止し、接続部に液体が付着すること、およびその付着により感電・火災等の不安全な事象が発生することを防ぐことができる。また、接続部、接続部に接続している電線部、もしくはこれらの両方が傾斜面に接触しても、傾斜面の内側下面に当接させることで、端子、およびリード線を内方に傾倒させて、接続部、もしくは電線部が傾斜面内面上を滑り、これらに掛かる負荷を回避、もしくは軽減することができる。本発明に係る電装部品は、上記の効果が得られることより、水の飛散や水漏れによる電装部品への水の滴下、高湿度環境下に設置されることにより結露が発生する可能性がある洗濯機、食器洗い機等に搭載される電装部品等として有益である。
【符号の説明】
【００４０】
１２  開口部
１３  傾斜面
２１  コイルボックス（保護部）
２４  アルミ巻線（発熱部）
２５  はんだ接続部（接続部）
２６  塩化ビニル電線（電線部）
２７  底板
３４  銅巻線（発熱部）
３５  スポット溶接接続部（接続部）
３６  シリコンゴム電線（電線部）
３６ａ  シリコンゴム電線屈曲部（電線部）
４５  ファストン端子（接続部）
５２  コイルユニット（電装部品）
５５  タブ端子（接続部）
【図１】
0006371979.tif 000002
【図２】
0006371979.tif 000003
【図３】
0006371979.tif 000004
【図４】
0006371979.tif 000005
【図５】
0006371979.tif 000006
【図６】
0006371979.tif 000007